(57)【要約】【課題】メダル補給扉を開けて鍵板を鍵穴から抜いたときにロック部材が作業の邪魔にならない状態にすることのできるシリンダーキーを用いた施錠機構を提案すること。【解決手段】メダル補給扉６の施錠機構に用いているキーシリンダ３０では、そのキーシリンダ回転軸３５に対してロック部材３３を所定角度θだけ相対回転可能な状態で取り付けてある。鍵板４０によりキーシリンダ回転軸３５をアンロック位置３５Ｂに回した後に、メダル補給扉６を開け、この状態で鍵板４０を逆方向に回して、キーシリンダ回転軸３５をロック位置３５Ａに戻すと、ロック部材３３のみが棒バネ５２の付勢力で更に所定角度θだけ回り、ロック部材３３がメダル補給扉６に隠れ、メダル補給口２１に露出しない状態になる。この状態では鍵板４０を引き抜くことができ、ロック部材３３に邪魔されることなく、メダル補給口２１を介してメダル補給作業などを行うことができる。【選択図】図４
2007297790.tif 000002
【特許請求の範囲】
【請求項１】
鍵板を、施錠状態にあるキーシリンダの鍵穴に差し込むと、キーシリンダ本体とキーシリンダ回転軸の係合が解除され、ロック部材が取り付けられている当該キーシリンダ回転軸がロック位置から第１回転方向に所定角度だけ回転したアンロック位置までの範囲内で、前記キーシリンダ本体に対して相対回転可能となり、前記鍵穴から前記鍵板を引き抜くためには前記キーシリンダ回転軸を前記ロック位置に戻す必要のあるシリンダーキーを用いた開閉扉の施錠機構において、
前記ロック部材を、所定角度だけ相対回転可能な状態で前記キーシリンダに取り付けている取付部と、
前記キーシリンダ回転軸が前記ロック位置から前記第１回転方向に少なくとも前記所定角度だけ回転するまでの間は、前記ロック部材に前記第１回転方向とは逆の第２回転方向への付勢力を与え、前記キーシリンダ回転軸が前記所定角度を越えて前記第１回転方向に回転すると、前記ロック部材に前記第１回転方向の付勢力を与える付勢部材と、
前記開閉扉が閉じている状態においてのみ、前記ロック部材の前記ロック位置から前記第２回転方向への回転を阻止する回転阻止部材と、
を有していることを特徴とするシリンダーキーを用いた開閉扉の施錠機構。
【請求項２】
請求項１において、
前記取付部は、前記ロック部材に形成した軸穴と、前記キーシリンダ回転軸における前記軸穴を貫通している軸部とを備えており、
前記軸穴は、円形穴の内周面における前記所定角度の間隔を開けた位置において、当該円形穴の中心に向けて突出している一対の回り止め用突起を備えた形状をしており、
前記軸部は、前記軸穴内において前記一対の回り止め用突起によって規定される前記所定角度の範囲内を回転可能な断面形状とされていることを特徴とするシリンダーキーを用いた開閉扉の施錠機構。
【請求項３】
請求項１または２において、
前記開閉扉が開き、前記キーシリンダ回転軸が前記ロック位置にあり、前記付勢部材によって前記ロック部材が前記第２回転方向に前記所定角度だけ回転した状態では、当該ロック部材が前記開閉扉によって開閉される開口部に突出していないことを特徴とするシリンダーキーを用いた開閉扉の施錠開錠機構。
【発明の詳細な説明】
【技術分野】
【０００１】
本発明は、鍵板を鍵穴に差し込んで回すと施錠状態が解除されて開錠状態に切り替わり、鍵穴から鍵板を引き抜くためには鍵板を再び施錠状態まで戻す必要のあるシリンダーキーを用いた開閉扉の施錠機構に関するものである。さらに詳しくは、開閉扉を開けた状態で鍵板を鍵穴から抜き取るためにキーシリンダを施錠状態に戻した場合に、当該キーシリンダのロック部材が開閉扉によって開閉される開口部に突出しないように構成したシリンダーキーを用いた開閉扉の施錠機構に関するものである。
【背景技術】
【０００２】
この種の構造のシリンダーキーは開閉扉の施錠のために広く使用されている。例えば、遊技店などに設置されているメダル貸し機におけるメダル補給口や硬貨補給口の開閉扉、ロッカー、ポスト類、電源操作盤、各種のオペレータ盤、各種のメンテナンス用開口部などの開閉扉に用いられている。これらの開口部は、開閉扉を開けて、作業員などが手を入れて所定の操作や作業を行うために利用される。
【０００３】
図５(ａ)はシリンダーキーによる施錠機構を備えた従来のメダル貸し機を示す概略外観斜視図であり、図５(ｂ)はその補給扉の部分を示す部分断面図である。メダル貸し機１は、縦長の直方体形状をした筐体２を備えており、この筐体２の前面の上側部分には硬貨投入口３および紙幣挿入口４が形成され、内部には貨幣処理機構(図示せず)が配置されている。硬貨投入口３および紙幣挿入口４の下側には矩形の開口部５が形成されており、この開口部５は開閉可能な矩形のメダル補給扉６によって封鎖されている。このメダル補給扉６の下側にはメダル投出用の受け皿８が配置されており、当該部分の筐体内部にはメダル集積部およびメダル投出機構(図示せず)が配置されている。
【０００４】
メダル補給扉６はその下端に取り付けたヒンジ７を中心として前方に開けることができる開閉扉であり、その上端部の中央部分にはシリンダーキーからなる施錠機構が取り付けられている。メダル補給扉６の側縁部分には円弧状のガイド溝９ａが形成されたガイド板９が取り付けられている。ガイド溝９ａに沿って、筐体２に取り付けたガイドピン２ａがスライドするようになっており、これらにより、メダル補給扉６の開度が規定されている。
【０００５】
メダル補給扉６の施錠機構は、キーシリンダ１１と、鍵板(キープレート)２０と、筐体２の側に形成されている係合用の張り出し部２ｂを備えている。図５(ａ)に示す施錠状態にあるキーシリンダ１１の鍵穴１２に鍵板２０を差し込み、図面に向かって右回りに鍵板２０を回すと、キーシリンダ１１のロック部材１３が開口部５の上縁部分に形成した内側への張り出し部２ｂから外れる。この結果、施錠状態が解除される。
【０００６】
図６(ａ)〜(ｃ)はそれぞれ、キーシリンダ１１を示す側面図、キーシリンダの背面図、および、ロック部材の平面図である。キーシリンダ１１は、キーシリンダ本体１４と、このキーシリンダ本体１４の中心を同軸状態で貫通して延びるキーシリンダ回転軸１５と、キーシリンダ回転軸１５に一体回転するように取り付けた細長い矩形のロック部材１３を備えている。
【０００７】
キーシリンダ本体１４はメダル補給扉６に対して貫通した状態で取り付けられており、大ナット１６によって当該メダル補給扉６に締結固定されている。キーシリンダ回転軸１５の後側の軸端部１５ａは図５(ｂ)から分かるように、円形断面の軸の直径方向の両端部分を平面状に切り取った断面形状とされており、当該断面形状の軸端部を嵌め込み可能な穴１３ａがロック部材１３に形成されている。ロック部材１３は、その穴１３ａにキーシリンダ回転軸１５の軸端部が貫通した状態で、小ナット１７によって抜け出ないように当該キーシリンダ回転軸１５に固定されている。
【０００８】
キーシリンダ本体１４とキーシリンダ回転軸１５は不図示の複数本のピンによって相対回転不可の状態に係合している。鍵板２０を差し込むとこれらの係合状態が解除され、鍵板２０を回すと、キーシリンダ回転軸１５がキーシリンダ本体１４に対して相対回転し、キーシリンダ回転軸１５と一体回転するロック部材１３も一緒に回転する。キーシリンダ回転軸１５の回転可能な方向は一方向に定められており、また、その回転可能な角度範囲も一般に７５〜９０度の範囲に制限されている。
【０００９】
キーシリンダ回転軸１５に差し込んだ鍵板２０は、キーシリンダ回転軸１５を回した状態ではその鍵穴から抜き取ることができず、キーシリンダ回転軸１５を元の位置、すなわち、ロック位置に戻すと抜き取ることができるように構成されている。
【００１０】
図７(ａ)および(ｂ)は、メダル補給扉６の施錠を解除して開いた状態を示す部分斜視図および部分断面図である。この状態では、鍵穴１２に差し込まれた鍵板２０が９０度回され、ロック部材１３は水平に倒れたアンロック位置１３Ｂにある。また、メダル補給扉６はガイド溝９ａの端とガイドピン２ａとの係合によって規定される開度で開いている。メダル補給扉６が開くと、当該メダル補給扉６の本体板部分６ａおよび、この左右の側板部分６ｂ、６ｃと、筐体２側の開口部５の上縁部分５ａとによって規定される矩形のメダル補給口２１が開放状態になり、ここを介してメダル(図示せず)の補給が行われる。
【００１１】
この状態では、先に述べたように、鍵板２０を鍵穴１２から抜き取ることができない。鍵板２０を抜き取るためには、鍵板２０を再び元の位置まで回す必要がある。
【００１２】
図８(ａ)および(ｂ)は、メダル補給扉６を開けたまま、鍵板２０を元の位置まで戻して抜き取った状態を示す部分斜視図および部分断面図である。この状態では、ロック部材１３が垂直に立ったロック位置１３Ａに戻り、メダル補給扉６の本体板部分６ａの上縁から上方に突出した状態となっている。
【発明の開示】
【発明が解決しようとする課題】
【００１３】
ここで、遊技店の店員、メンテナンスを行う作業員などは、多種多様の鍵板類を束にして所持し、鍵束と着衣などをロープ、ケーブル、カールコード等によって連結していることが多い。このため、メダル補給扉６を開けた後は、鍵板２０を鍵穴１２から抜き取らないと、メダル補給などの作業の邪魔になってしまう。特に、同時に複数箇所の開閉扉を開けて同時に、あるいは連続して作業を行う場合は、鍵板２０から鍵穴１２を抜き取る必要がある。
【００１４】
先に述べたように、鍵板２０を鍵穴１２から抜き取るためには、キーシリンダ１１のロック部材１３をロック位置１３Ａに戻す必要がある。ロック部材１３がロック位置１３Ａに戻ると、図８に示すように、メダル補給扉６の上縁からロック部材１３が突出した状態になる。この状態でメダル補給などの作業を行うと、作業員の手や腕がロック部材１３に接触しやすい。このため、ロック部材１３に当たらないように注意しながら作業を行う必要があり、不便である。また、ロック部材１３に当たって怪我をするおそれもある。
【００１５】
本発明の課題は、このような点に鑑みて、開閉扉を開けたときに、ロック部材が作業の邪魔にならない状態で鍵板を鍵穴から引き抜くことのできるようにしたシリンダーキーを用いた開閉扉の施錠機構を提案することにある。
【課題を解決するための手段】
【００１６】
上記の課題を解決するために、本発明は、鍵板を、施錠状態にあるキーシリンダの鍵穴に差し込むと、キーシリンダ本体とキーシリンダ回転軸の係合が解除され、ロック部材が取り付けられている当該キーシリンダ回転軸がロック位置から第１回転方向に所定角度だけ回転したアンロック位置までの範囲内で、前記キーシリンダ本体に対して相対回転可能となり、前記鍵穴から前記鍵板を引き抜くためには前記キーシリンダ回転軸を前記ロック位置に戻す必要のあるシリンダーキーを用いた開閉扉の施錠機構において、
前記ロック部材を、所定角度だけ相対回転可能な状態で前記キーシリンダ回転軸に取り付けている取付部と、
前記キーシリンダ回転軸が前記ロック位置から前記第１回転方向に少なくとも前記所定角度だけ回転するまでの間は、前記ロック部材に前記第１回転方向とは逆方向の第２回転方向への付勢力を与え、前記キーシリンダ回転軸が前記所定角度を越えて前記第１回転方向に回転すると、前記ロック部材に前記第１回転方向の付勢力を与える付勢部材と、
前記開閉扉が閉じている状態においてのみ、前記ロック部材の前記ロック位置から前記第２回転方向への回転を阻止する回転阻止部と、
を有していることを特徴としている。
【００１７】
本発明では、開閉蓋が閉じて施錠状態にあるキーシリンダの鍵穴に鍵板を差し込み、第１回転方向に回しても、最初はロック部材が回転しない。所定角度だけキーシリンダ回転軸が回転した後から、ロック部材はキーシリンダ回転軸と一体となって第１回転方向に回る。また、これに伴って、ロック部材に作用している付勢部材の付勢力が、第２回転方向から第１回転方向に切り替わる。キーシリンダ回転軸がアンロック位置まで回ると、ロック部材もアンロック位置となり、施錠状態が解除される。これにより開閉扉を開けることができる。
【００１８】
開閉扉を開けた状態において、鍵板を逆に第２回転方向に回してキーシリンダ回転軸をロック位置に戻すと、ロック部材も元のロック位置まで戻る。
【００１９】
ここで、キーシリンダ回転軸は、シリンダーキーの構造上、ロック位置においてキーシリンダ本体に係合して、それ以上第２回転方向に回転することが無い。これに対して、ロック部材はキーシリンダ回転軸に対して所定角度だけ相対回転可能な状態で取り付けられている。また、付勢部材によって、ロック位置にあるロック部材には第２回転方向に向かう付勢力が作用している。よって、ロック部材はロック位置から更に所定角度だけ付勢力によって第２回転方向に回転する。
【００２０】
ロック部材のサイズ、相対回転可能な所定角度などを適切に設定しておくことにより、ロック位置から第２回転方向にロック部材が回った後の状態において、ロック部材が開閉扉によって開閉される開口部に突出しないようにすることができる。また、この状態は、キーシリンダ回転軸がロック位置に戻っており、鍵穴から鍵板を抜き取ることができる。よって、本発明によれば、鍵穴から鍵板を抜き取った状態においてロック部材が開口部に突出していないので、開口部を介して作業がロック部材に邪魔されることなく、また、ロック部材に接触して怪我をしてしまう危険性も無く、行うことができる。
【００２１】
なお、開閉扉を閉じて施錠する場合には、開閉蓋を閉じる前に、まず、鍵板を鍵穴に差し込み、鍵板を第１回転方向に回転して、キーシリンダ回転軸およびロック部材をアンロック位置まで回す。しかる後に、開閉扉を閉じて、鍵板を第２回転方向に回して、キーシリンダ回転軸をロック位置に戻す。これに伴って、ロック部材もロック位置に向けて回る。開閉扉を閉じた状態では、回転阻止部材によって、ロック位置に至ったロック部材の第２回転方向の回転が阻止される。よって、ロック部材はロック位置に保持され、施錠状態が形成される。
【００２２】
ここで、前記取付部を、前記ロック部材に形成した軸穴と、前記キーシリンダ回転軸における前記軸穴を貫通している軸部とを備えた構成とすることができる。この場合、前記軸穴を、円形穴の内周面における前記所定角度の間隔を開けた位置において、当該円形穴の中心に向けて突出している一対の回り止め用突起を備えた形状とすればよい。また、前記軸部を、前記軸穴内において前記一対の回り止め用突起によって規定される前記所定角度の範囲内を回転可能な断面形状とすればよい。
【００２３】
また、本発明において、前記開閉扉が開き、前記キーシリンダ回転軸が前記ロック位置にあり、前記付勢部材によって前記ロック部材が前記第２回転方向に前記所定角度だけ回転した状態では、当該ロック部材が前記開閉扉によって開閉される開口部に突出していないことが望ましい。
【発明の効果】
【００２４】
以上説明したように、本発明のシリンダーキーを用いた開閉蓋の施錠機構では、ロック部材をキーシリンダ回転軸に対して所定角度だけ相対回転可能な状態で取り付けてある。また、開閉扉を開けた状態では、キーシリンダ回転軸をロック位置に戻して鍵穴から鍵板を引き抜き可能にすると、ロック部材が付勢部材によってロック位置よりも更に所定角度だけ回転した位置まで回るようになっている。したがって、開閉扉を開けることにより開かれた開口部に、ロック部材が突出していない状態を形成できる。あるいは、その突出量を実用上において支障の無い程度まで少なくすることができる。よって、開口部を介しての作業を、ロック部材に邪魔されることなく、簡単かつ安全に行うことができる。
【発明を実施するための最良の形態】
【００２５】
以下に、図面を参照して、本発明を適用したシリンダーキーを用いた開閉扉の施錠機構の実施の形態を説明する。
【００２６】
図１(ａ)〜(ｃ)は本発明を適用した施錠機構を示す部分正面図、部分断面図および部分背面図である。図示の例は、メダル貸し機のメダル補給扉に本発明によるシリンダーキーによる施錠機構を適用したものである。メダル貸し機の基本構成は図５〜図８に示すものと同一であるので、対応する部位には同一の符号を付し、以下の説明では必要な部分のみ説明する。
【００２７】
メダル貸し機１は、縦長の直方体形状をした筐体２を備えており、この筐体２の前面における上下方向の中央部分に矩形の開口部５が形成されている。開口部５は対応する矩形形状のメダル補給扉６によって封鎖されている。メダル補給扉６はその下端に取り付けたヒンジ７を中心として前方に開けることができる開閉扉であり、その上端部の中央部分にはシリンダーキーを備えた施錠機構が取り付けられている。メダル補給扉６の側縁部分には円弧状のガイド溝９ａが形成されたガイド板９が取り付けられている。ガイド溝９ａに沿って、筐体２に取り付けたガイドピン２ａがスライドするようになっており、これらにより、メダル補給扉６の開度が規定されている。
【００２８】
メダル補給扉６の施錠機構は、キーシリンダ３０と、鍵板(キープレート)４０と、筐体２の側に形成されている係合用の張り出し部２ｂを備えている。キーシリンダ３０は、キーシリンダ本体３４と、この中心を貫通して延びているキーシリンダ回転軸３５と、キーシリンダ回転軸３５に所定角度θだけ相対回転可能な状態で取り付けたロック部材３３を備えている。
【００２９】
筐体２の開口部５の上縁部分には回転阻止部材５１が取り付けられている。メダル補給扉６が閉じた状態において、図１に示すように上方に垂直に延びているロック位置３３Ａにあるロック部材３３の端面が当該回転阻止部材５１に当接可能となっている。この状態では、ロック部材３３は矢印Ｂで示す第２回転方向へは回転できない。
【００３０】
また、ロック部材３３とメダル補給扉６の間には、棒バネ５２が湾曲状態で架け渡されている。ロック部材３３と棒バネ５２の上端部との連結位置５２ａは、キーシリンダ３０の回転中心に対して、回転阻止部材５１とは反対側に位置するように設定されている。この結果、ロック部材３３がロック位置３３Ａにある状態では、棒バネ５２は、ロック部材３３を回転阻止部材５１に押し付ける方向の回転トルク、すなわち、第２回転方向Ｂの回転トルクを、当該ロック部材３３に加える。
【００３１】
これに対して、ロック部材３３が第１回転方向Ａに回転して、連結位置５２ａがキーシリンダ３０の回転中心に対して回転阻止部材５１と同一の側に移動した後は、ロック部材３３に対して第１回転方向Ａに向かう回転トルクが作用することになる。
【００３２】
図２(ａ)〜(ｄ)は、キーシリンダ３０の側面図、その背面図、ロック部材を示す説明図、およびキーシリンダ回転軸に対するロック部材の取付部を示す説明図である。これらの図も参照して、キーシリンダ３０を詳細に説明する。
【００３３】
まず、キーシリンダ回転軸３５の後側の軸端部３５ａは、円形断面の直径方向の両端部分を平坦となるように切断した断面形状をしている。この軸端部３５ａがロック部材３３に形成した軸穴３３ａに装着されている。
【００３４】
軸穴３３ａは、図２(ｄ)に示すように、円形穴の内周面において、所定の角度間隔で一対の回り止め用の突起３８、３９を円形穴の中心に向けて突出させた形状をしている。キーシリンダ回転軸３５の軸端部３５ａは、円形穴内を回転可能な大きさの円形断面の軸の両側を切断した断面形状をしている。この軸端部の両側端面３５ｂ、３５ｃが、そのロック位置３５Ａにおいて、突起３８、３９の一方の端面３８ａ、３９ａに当接するようになっている。また、軸端部３５ａの両側端面３５ｂ、３５ｃが、想像線で示す所定角度θ(＝６０度)回転した位置３５Ｃにおいて、突起３８、３９の他方の端面３８ｂ、３９ｂに当接するようになっている。
【００３５】
このように、キーシリンダ回転軸３５の軸端部３５ａが、ロック部材３３の軸穴３３ａに対して、角度θ(＝６０度)だけ相対回転可能な状態で装着されている。また、ロック部材３３の両側にスラストワッシャを挟み、２個の小ナット１７ａ、１７ｂによってロック部材３３が軸端部３５ａに取り付けられている。
【００３６】
したがって、図３(ａ)、(ｂ)に示すように、キーシリンダ回転軸３５がロック位置３５Ａにある状態では、ロック部材３３は棒バネ５２の付勢力によって回転阻止部材５１に押し付けられて、そのロック位置３３Ａに保持されている。
【００３７】
この状態から、鍵穴３２に鍵板４０を差し込み、第１回転方向Ａにキーシリンダ回転軸３５を所定角度θ(＝６０度)回す間は、ロック部材３３は回転せずにロック位置３３Ａに保持される。図２(ｃ)、(ｄ)には６０度回した後の状態を示してある。この後から、キーシリンダ回転軸３５と一体となってロック部材３３がアンロック位置に向けて、第１回転方向Ａに回転することになる。
【００３８】
次に、図４は本例のシリンダーキーの動作を示す説明図である。図３、図４を参照してシリンダーキーの動作を説明する。まず、図３を参照して説明したように、鍵板４０を差し込み、キーシリンダ回転軸３５をロック位置３５Ａから所定角度θ(＝６０度)回す間は、ロック部材３３はそのロック位置３３Ａに留まっている。キーシリンダ回転軸３５を所定角度θまで回すと、その軸端部３５ａの両側端面３５ｂ、３５ｃが、それぞれ、ロック部材３３の軸穴３３ａの突起３８、３９の端面３８ｂ、３９ｂに当たる(図２(ｄ)参照)。よって、これ以後は、ロック部材３３も第１回転方向Ａに一緒に回る。
【００３９】
図４(ａ−１)〜(ａ−３)に示すように、ロック部材３３が第１回転方向Ａに回って、その棒バネ５２との連結位置５２ａが、キーシリンダ３０の回転中心に対して回転阻止部材５１と同一の側に移動した後は、棒バネ５２によってロック部材３３には第１回転方向Ａの回転トルクが作用する。
【００４０】
キーシリンダ回転軸３５をアンロック位置３５Ｂまで回すと、ロック部材３３も横に倒れたアンロック位置３３Ａまで回転する。図４(ｂ−１)、(ｂ−２)はこのアンロック状態を示してある。この状態において、図４(ｂ−３)に示すように、メダル補給扉６を開けて、メダル補給口２１を開くことができる。この状態では、鍵板４０を鍵穴３２から引き抜くことができない。
【００４１】
次に、メダル補給扉６を開けた状態において、鍵板４０を逆に第２回転方向Ｂに回す際には、キーシリンダ回転軸３５の軸端部３５ａの両側端面３５ｂ、３５ｃが、それぞれ、ロック部材３３の軸穴３３ａの突起３８、３９の端面３８ａ、３９ａに当たった状態にある(図２(ｄ)参照)。よって、キーシリンダ回転軸３５とロック部材３３とが一体となってロック位置３３Ａに向けて回転する。
【００４２】
キーシリンダ回転軸３５がロック位置３５Ａに至ると、キーシリンダ本体３４に係合して、それ以上第２回転方向Ｂには回転しない。これに対して、ロック部材３３は、そのロック位置３３Ａから更に所定角度θだけ第２回転方向に回転可能である。また、メダル補給扉６が開いているので、ロック部材３３は回転阻止部材５１に当たることがないので、棒バネ５２の付勢力によって第２回転方向Ｂに所定角度だけ回転する。図４(ｃ−１)〜(ｃ−３)にはこの状態を示してある。
【００４３】
この状態では、キーシリンダ回転軸３５はロック位置３５Ａにあるので、鍵穴３２から鍵板４０を引き抜くことができる。また、ロック部材３３は、第２回転方向Ｂに倒れた状態にあり、メダル補給扉６に隠れ、開口部５に突出していない。したがって、メダル補給口２１を介してのメダル補給作業などを、簡単に、しかも、ロック部材３３に接触して手などを負傷することなく安全に行うことができる。
【００４４】
なお、メダル補給扉６を閉じて施錠する場合には、メダル補給扉６を閉じる前に、まず、鍵板４０を鍵穴３２に差し込み、鍵板４０を第１回転方向Ａに回転して、ロック部材３３を反対側に倒れたアンロック位置３３Ｂまで回転する(図４(ｂ−１)、(ｂ−２))。しかる後に、メダル補給扉６を閉じて、鍵板４０を第２回転方向Ｂに回転する。メダル補給扉６を閉じた状態では、回転阻止部材５１によってロック部材３３の回転が阻止され、そのロック位置３３Ａを越えて第２回転方向Ｂに回転することがない。よって、キーシリンダ回転軸３５およびロック部材３３がロック位置に至ると、メダル補給扉６の施錠状態が形成される(図１参照)。
【００４５】
(その他の実施の形態)
上記の例はメダル補給扉の施錠機構に本発明を適用したものである。本発明は、メダル補給扉以外の各種の開閉扉の施錠機構として用いることができる。
【００４６】
また、上記の例では棒バネ５２を用いているが、この代わりに、板バネ、トーションバーなどの各種のバネ要素を用いることができる。
【００４７】
さらに、上記の例では、キーシリンダ３０をメダル補給扉６の側に取り付けてあるが、キーシリンダ３０を筐体２の側に取り付け、キーシリンダ３０のロック部材３３が係合する張り出し部２ｂに対応する部位および回転阻止部材をメダル補給扉６の側に設けても良いことは勿論である。
【図面の簡単な説明】
【００４８】
【図１】(ａ)〜(ｃ)は本発明を適用した施錠機構を示す部分正面図、部分断面図および部分背面図である。
【図２】(ａ)〜(ｄ)は、シリンダーキーの側面図、その背面図、ロック部材を示す説明図、および、キーシリンダ回転軸に対するロック部材の取付部を示す説明図である。
【図３】(ａ)および(ｂ)はシリンダーキーの施錠状態を示す説明図であり、(ｃ)および(ｄ)はロック位置から所定角度だけ鍵板を回した後の状態を示す説明図である。
【図４】(ａ−１)〜(ａ−３)は鍵板を所定角度を越えて回した後の状態を示す説明図であり、(ｂ−１)〜(ｂ−３)はシリンダーキーの施錠が解除された状態を示す説明図であり、(ｃ−１)〜(ｃ−３)は鍵板を抜き取り可能な位置に回転した後の状態を示す説明図である。
【図５】(ａ)および(ｂ)は、シリンダーキーによる施錠機構を備えた従来のメダル貸し機を示す概略外観斜視図、およびその補給扉の部分を示す部分断面図である。
【図６】(ａ)〜(ｃ)はそれぞれ、シリンダーキーを示す側面図、シリンダーキーの背面図、および、ロック部材の平面図である。
【図７】(ａ)および(ｂ)は、メダル補給扉の施錠を解除して開いた状態を示す部分斜視図および部分断面図である。
【図８】(ａ)および(ｂ)は鍵板を元の位置まで戻して抜き取った状態を示す部分斜視図および部分断面図である。
【符号の説明】
【００４９】
１  メダル貸し機、２  筐体、２ｂ  張り出し部、５  開口部、６  メダル補給扉、３０  キーシリンダ、３２  鍵穴、３３  ロック部材、３３Ａ  ロック位置、３３Ｂ  アンロック位置、３４  キーシリンダ本体、３５  キーシリンダ回転軸、３５Ａ  ロック位置、３５Ｂ  アンロック位置、３５ａ  軸端部、３５ｂ，３５ｃ  端面、３８，３９  突起、３８ａ，３８ｂ，３９ａ，３９ｂ  端面、４０  鍵板、５１  回転阻止部材、５２  棒バネ、５２ａ  連結位置、Ａ  第１回転方向、Ｂ  第２回転方向、θ  相対回転可能な所定角度
【図１】
2007297790.tif 000003
【図２】
2007297790.tif 000004
【図３】
2007297790.tif 000005
【図４】
2007297790.tif 000006
【図５】
2007297790.tif 000007
【図６】
2007297790.tif 000008
【図７】
2007297790.tif 000009
【図８】
2007297790.tif 000010
【手続補正書】
【提出日】平成18年5月19日(2006.5.19)
【手続補正１】
【補正対象書類名】明細書
【補正対象項目名】００３７
【補正方法】変更
【補正の内容】
【００３７】
この状態から、鍵穴３２に鍵板４０を差し込み、第１回転方向Ａにキーシリンダ回転軸３５を所定角度θ(＝６０度)回す間は、ロック部材３３は回転せずにロック位置３３Ａに保持される。図３(ｃ)、(ｄ)には６０度回した後の状態を示してある。この後から、キーシリンダ回転軸３５と一体となってロック部材３３がアンロック位置に向けて、第１回転方向Ａに回転することになる。
【手続補正２】
【補正対象書類名】図面
【補正対象項目名】図２
【補正方法】変更
【補正の内容】
【図２】
2007297790.tif 000011
【手続補正３】
【補正対象書類名】図面
【補正対象項目名】図３
【補正方法】変更
【補正の内容】
【図３】
2007297790.tif 000012